【手続補正書】
【提出日】平成28年5月18日(2016.5.18)
【手続補正１】
【補正対象書類名】特許請求の範囲
【補正対象項目名】全文
【補正方法】変更
【補正の内容】
【特許請求の範囲】
【請求項１】
移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御手段を備え、
前記制御手段は、前記通常モードによる前記ルート案内画像に対応する路面の距離が所定値以下となる場合に、前記広域モードに切り替えることを特徴とするナビゲーション装置。
【請求項２】
移動体の前方風景を撮影した前方画像と目的地までのルート案内画像が対応するように、前記ルート案内画像を前記前方画像に重畳して表示手段に表示させる通常モードと、前記通常モードで表示させる前記ルート案内画像よりも広範囲のルートを示すルート案内画像を前記表示手段に表示させる広域モードとを切り替える制御手段を備え、
前記制御手段は、前記通常モードによる前記ルート案内画像に対応する路面の距離が所定値以下となる場合に、前記広域モードに切り替えることを特徴とするナビゲーション装置。
【請求項３】
前記取得手段は、移動体の位置と進行方向を取得し、
前記制御手段は、前記通常モードでは前記進行方向を含む第１角度範囲内に存在するルート案内画像を前記表示手段に表示させ、前記広域モードでは前記第１角度範囲よりも広い第２角度範囲内に存在するルート案内画像を表示させることを特徴とする請求項１または２に記載のナビゲーション装置。
【請求項４】
前記制御手段は、前記通常モードとした場合に表示される前記ルート案内画像に対応する路面の距離が前記所定値よりも大きい第２の所定値より長い場合に、前記広域モードから前記通常モードに切り替えることを特徴とする請求項１乃至３のいずれか一項に記載のビゲーション装置。
【請求項５】
前記制御手段は、前記通常モードでは、前記ルート案内画像と共に前記前方風景に含まれる施設を示すマーク画像を当該施設に対応する位置に表示させ、前記広域モードでは、前記マーク画像を表示させないことを特徴とする請求項１乃至４のいずれか一項に記載のナビゲーション装置。
【請求項６】
前記制御手段は、前記移動体の移動速度が速いほど、前記所定値を大きくすることを特徴とする請求項１乃至５のいずれか一項に記載のナビゲーション装置。
【請求項７】
前記制御手段は、前記通常モードとした場合に表示される前記ルート案内画像が示す路面が連続していない場合、当該路面のうち、途切れた後の路面を除外した路面の距離が、前記所定値以下となる場合に、前記広域モードに切り替えることを特徴とする請求項１乃至６のいずれか一項に記載のナビゲーション装置。
【請求項８】
前記制御手段は、前記通常モードでは前記移動体の進行方向を含む第１角度範囲内に存在するルート案内画像を表示手段に表示させ、前記広域モードでは前記第１角度範囲よりも広い第２角度範囲内に存在するルート案内画像を表示させる場合、前記広域モードで表示させる前記前方画像の画角を、前記通常モードで表示させる前記前方画像の画角よりも広くすることを特徴とする請求項２に記載のナビゲーション装置。
【請求項９】
請求項１に記載のナビゲーション装置と、
車両の運転者に向けて画像を構成する光を反射することで、前記運転者に虚像を視認させる表示手段と、を備えることを特徴とするヘッドアップディスプレイ。
【請求項１０】
ナビゲーション装置が実行する制御方法であって、
移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御工程を有し、
前記制御工程では、前記通常モードによる前記ルート案内画像に対応する路面の距離が所定値以下となる場合に、前記広域モードに切り替えることを特徴とする制御方法。
【請求項１１】
コンピュータが実行するプログラムであって、
移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御手段
として前記コンピュータを機能させ、
前記制御手段は、前記通常モードによる前記ルート案内画像に対応する路面の距離が所定値以下となる場合に、前記広域モードに切り替えることを特徴とするプログラム。
【請求項１２】
請求項１１に記載のプログラムを記憶したことを特徴とする記憶媒体。
【手続補正２】
【補正対象書類名】明細書
【補正対象項目名】０００６
【補正方法】変更
【補正の内容】
【０００６】
請求項に記載の発明は、ナビゲーション装置であって、移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御手段を備え、前記制御手段は、前記通常モードによる前記ルート案内画像に対応する路面の距離が所定値以下となる場合に、前記広域モードに切り替えることを特徴とする。
また、請求項に記載の発明は、ナビゲーション装置であって、移動体の前方風景を撮影した前方画像と目的地までのルート案内画像が対応するように、前記ルート案内画像を前記前方画像に重畳して表示手段に表示させる通常モードと、前記通常モードで表示させる前記ルート案内画像よりも広範囲のルートを示すルート案内画像を前記表示手段に表示させる広域モードとを切り替える制御手段を備え、前記制御手段は、前記通常モードによる前記ルート案内画像に対応する路面の距離が所定値以下となる場合に、前記広域モードに切り替えることを特徴とする。
【手続補正３】
【補正対象書類名】明細書
【補正対象項目名】０００７
【補正方法】変更
【補正の内容】
【０００７】
また、請求項に記載の発明は、ナビゲーション装置が実行する制御方法であって、移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御工程を有し、前記制御工程では、前記通常モードによる前記ルート案内画像に対応する路面の距離が所定値以下となる場合に、前記広域モードに切り替えることを特徴とする。
【手続補正４】
【補正対象書類名】明細書
【補正対象項目名】０００８
【補正方法】変更
【補正の内容】
【０００８】
また、請求項に記載の発明は、コンピュータが実行するプログラムであって、移動体の前方風景と、目的地までのルート案内画像とが対応するように、前記ルート案内画像を前記前方風景に重畳して表示手段に表示させる通常モードと、前記通常モードで表示させる前記ルート案内画像よりも広範囲のルートを示すルート案内画像を前記表示手段に表示させる広域モードとを切り替える制御手段として前記コンピュータを機能させ、前記制御手段は、前記通常モードによる前記ルート案内画像に対応する路面の距離が所定値以下となる場合に、前記広域モードに切り替えることを特徴とする。